(57)【要約】【課題】この発明は、摺動シート並びにサポータに係り、特に身体に添着している時に外圧がかかっても、上下シートの摺動により外圧を分散吸収し、皮膚下の静水圧へかかる圧力を周囲へ分散緩和させる、摺動シートとこれを内装したサポータを提供することを目的としている。【解決手段】身体に当接させる摺動シートであって、袋体４内に、滑動体５が詰装され、使用時において、外から受けた圧力を袋体４の上下シート２，３の摺動で分散緩和して、身体への加圧力を周囲へ分散緩和させる、摺動シート１。【選択図】    図１
2004305533.tif 000002
【特許請求の範囲】
【請求項１】
身体に当接させる薄いシートであって、袋体内に、滑動体が詰装され、使用時において、外から受けた圧力を、袋体の上下シートの摺動で分散緩和して、身体への加圧力を周囲へ分散緩和させるように構成されたことを特徴とする摺動シート。
【請求項２】
前記袋体は上下シートに、多数のヒートシールが散在形成されて、上下シートを連結していることを特徴とする、請求項１に記載された摺動シート。
【請求項３】
前記袋体は、略椀状に立体的に形成されていることを特徴とする、請求項１，２のいずれかに記載された摺動シート。
【請求項４】
前記滑動体は、スポンジ体である事を特徴とする請求項１〜３のいずれかに記載された摺動シート。
【請求項５】
前記滑動体は、粘性流動体であることを特徴とする、請求項１〜３のいずれかに記載された、摺動シート。
【請求項６】
前記滑動体は、粘性流動体に、３ｗ％〜２０ｗ％の範囲で、炭素微粉末が混合されていることを特徴とする、請求項５に記載された摺動シート。
【請求項７】
前記滑動体は、粘性流動体とスポンジ体の混成体である事を特徴とする請求項５に記載された摺動シート。
【請求項８】
前記滑動体は、粘性流動体と繊維の混合体である事を特徴とする請求項５に記載された摺動シート。
【請求項９】
身体に当接させるサポータであって、袋体に滑動体が詰装された摺動シートが、袋状被覆材の袋体内に内装され、身体に使用した時において、外から受けた圧力を、摺動シートと袋体との摺動と、摺動シート内の滑動体の滑動により分散緩和して、身体への加圧力を、周囲へ分散緩和させるように構成されたことを特徴とする、サポータ。
【発明の詳細な説明】
【０００１】
【発明の属する技術分野】
この発明は、摺動シート並びにサポータに係り、特に装着する固定圧を緩和して装着することが出来、身体に添着している時に外圧がかかっても、上下シートの摺動により外圧を分散吸収し、皮膚、筋膜、筋肉並びに皮膚下の静水圧へかかる圧力を、周囲へ分散緩和させる摺動シートと、これを内装したサポータに関する。
【０００２】
【従来の技術】
従来、身体の保護を目的としたサポータは、装着しても外れないように、様々な方法で身体に固定されている。従って、サポータの強く当接する部位と、軽く当接する部位とがあり、強く当接される部位は、強く圧迫される。
【０００３】
筋膜は、皮膚の下で体を包む線維組織層である。筋肉及び筋肉群をも包み、その層または群を束ねる薄い被膜である。身体の関節部分において、関節の軟骨の周囲には関節液が充満しており、体重６０ｋｇ〜７０ｋｇの人で、歩行時に膝関節において、軟骨にかかる関節液の靜水圧は、およそ３０気圧〜５０気圧とされている。
【０００４】
【発明が解決しようとする課題】
前記従来のサポータを使用して、例えば三角筋を被覆した場合、装着により固定されて、外から加圧されるので三角筋膜が圧迫される。その結果、皮膚と筋肉の間に流通していたリンパ液の流通が、制約されることになる。
【０００５】
このリンパ液は、組織細胞を直接囲んで、細胞と血管との間の物質交代の仲立ちをしているものであるため、その部分における新陳代謝が停滞する。すなわち、栄養の補給が充分でなく、また老廃物の排泄も滞る等の障害が生じる。
【０００６】
身体の膝関節部分において、歩行時に軟骨にかかる関節液の靜水圧は、炎症時には腫れて高くなる。かかる炎症時に関節に当てるサポータは、従来の物のように固定すると、圧迫されてリンパ液の流通が阻害され、快復が遅くなる。
【０００７】
また人は老齢化すると、関節の軟骨が摩耗し、再生力が衰えるために、円滑さが阻害され、又関節液の充満も衰え、膝の痛みが生じる。
この軟骨は、軟骨細胞に、運動するなどにって静水圧が加えられると、コラーゲンと糖タンパクを産生し、細胞外マトリックスを作り始める。組織細胞が活性化すると、ＤＮＡ合成が盛んに起こるので、軟骨細胞の再生が生じることが知られている。
【０００８】
例えば膝の痛みに対して、従来のサポータは患部を圧迫して固定するだけで、サポータ自体に疾患を治す作用はない。
この発明は、これらの実情に鑑み、例えばサポータの下に摺動シートを入れて膝関節に当接させて、固定し、固定のための外圧がかかっても、摺動シートの上下シートの摺動により外圧を分散して吸収して、筋膜に小部分的な圧迫をかけにくく、靜水圧に対して周囲から総体的に押さえ力をかけることが出来る。
その結果として、軟骨組織細胞に静水圧を周囲から均等にかけて、活性化させることのできる摺動シート、並びに摺動シートを内装したサポータを提供することを目的としている。
【０００９】
【課題を解決するための手段】
この発明は、前記課題を解決し目的を達成するために、次のような技術的な手段を講じた。発明の具体的な内容は次の通りである。
【００１０】
（１）  身体に当接させる薄いシートであって、袋体内に、滑動体が詰装され、身体に使用した時において、外から受けた圧力を袋体の上下シートの摺動で分散緩和して、身体への加圧力を、周囲へ分散緩和させるように構成された摺動シート。
【００１１】
（２）  前記袋体は、上下シートに、多数のヒートシールが散在形成されて、上下シートを連結している、前記（１）に記載された摺動シート。
【００１２】
（３）  前記袋体は、略椀状に立体的に形成されている、前記（１）（２）のいずれかに記載された摺動シート。
【００１３】
（４）  前記滑動体は、スポンジ体である前記（１）〜（３）のいずれかに記載された摺動シート。
【００１４】
（５）  前記滑動体は、粘性流動体である、前記（１）〜（３）のいずれかに記載された、摺動シート。
【００１５】
（６）  前記滑動体は、粘性流動体に、３ｗ％〜２０ｗ％の範囲で、炭素微粉末が混合されている前記（５）に記載された摺動シート。
【００１６】
（７）  前記滑動体は、粘性流動体とスポンジ体の混成体である、前記（５）に記載された摺動シート。
【００１７】
（８）  前記滑動体は、粘性流動体と繊維の混合体である、前記（５）に記載された摺動シートト。
【００１８】
（９）  身体に当接させるサポータであって、袋体に滑動体が詰装された摺動シートが、袋状被覆材の袋体内に内装され、身体に使用した時において、外から受けた圧力を摺動シートと袋体との摺動と、摺動シート内の滑動体の滑動により分散緩和して、身体への加圧力を周囲へ分散緩和させるように構成された、サポータ。
【００１９】
【発明の実施の形態】
本願発明の実施の形態例を、図面を参照して説明する。図１は本発明の摺動シートの平面図、図２は正面図、図３は使用状態を示す摺動シートの側面図、図４は図３における部分拡大図である。
【００２０】
本発明摺動シート（１）は、軟質合成樹脂材を使用した上下シート（２）（３）を重ねた袋体（４）で形成され、平面で例えば略方形で、正面では図２に示すように、上面中央部が膨出している。
【００２１】
上下シート（２）（３）の材質は、例えば２００μ〜５００μなど薄い合成樹脂シートで、袋体（４）は上下のシート（２）（３）を重ねて、プレス型で成形されている。
該薄い上下シート（２）（３）の材質は、例えばゴムラテックスのような伸展性があり、破れにくい材質が選択される。該袋体（４）には、図示しない身体への取付具（バンド、ひも、粘着材等）を装着することができる。
【００２２】
また上下のシート（２）（３）による袋体（４）の中には、滑動体（５）が、厚み０．５〜２ｍｍ（大型のものは５〜１０ｍｍ）の範囲で詰装されている。
該、滑動体（５）は、外圧により自ら動くことが出来て、その動きによって、袋体（４）の上下シート（２）（３）の摺動、移動を可能にするものをいい、その材質は、その目的に沿う物なら何でもかまわない。
【００２３】
滑動体（５）の材質として、例えば樹脂スポンジ、コラーゲンスポンジ、ＰＬＧＡスポンジ（ポリ乳酸とグリコール酸の共重合体）、繊維、水よりも適度の粘度がある粘性流動体（例えばシリコンオイル等のオイル、食用油、それらの乳化品、水性糊剤、オイルと水性糊剤の混合体、アルギン酸やフノリのような海草液、ＣＭＣ液、それらの混合液）など、摺動シート（１）を傾斜させた時に、水のように早く流動しないものであれば、原則的には滑動体（５）の材質は何でもかまわない。
【００２４】
上記のように構成された、この摺動シート（１）は、例えば図３に示すように、被覆材（６）を被覆して、肩（９）関節部等に当接して使用される。図３において、摺動シート（１）は、略縦長に設定されているので、重量のある滑動体（５）例えば粘性流動体は、上部のものが下部へと沈降してくる。
【００２５】
しかし、粘性流動体は、適度の粘度があるために、その粘稠性と表面張力によって、膜状に形態が維持される。
また滑動体（５）が、繊維やコラーゲンスポンジ、樹脂スポンジのような固形物が使用されているときは、上下方向への移動が少ない。この場合、湿性保持のためには油、水、乳化液などを混在させる。
【００２６】
また、肩（９）関節部などに添着されている、摺動シート（１）の外部から、図４に示すように外圧（Ａ）がかかった時、袋体（４）内部の滑動体（５）は、Ｂ矢示方向に押されて鈍く流動する。
その結果、外圧（Ａ）は肩（９）関節部に部分的加圧をすることがなく、力を分散するので、肩（９）部の皮膚（９ａ）の下にある筋膜（９ｂ）に対する圧力を分散緩和する。
【００２７】
その事はまた、肩（９）関節部等における軟骨周囲の靜水圧に、周囲から均等な力を分散してかける事になり、靜水圧が軟骨組織細胞に周囲から均分的にかかることによって、軟骨組織細胞を活性化させる。そのことはまた軟骨の再生に寄与することになる。
【００２８】
また、図３において、肩（９）と被覆材（６）とが移動した場合、摺動シート（１）は、上下シート（２）（３）が、肩（９）部と被覆材（６）の動きに対応して移動することになり、その場合、摺動シート（１）内部の滑動体（５）が、その上下のシート（２）（３）の滑りを円滑にする。
【００２９】
図５は、第２実施例を示す摺動シート（１）の平面図である。前例と同じ部位には同じ符号を付して説明を省略する。
この第２実施例は、平面で上から上下シート（２）（３）の袋体（４）に、＋状のヒートシール（２ａ）を多数形成したものである。該ヒートシール（２ａ）の形状は、これに限定されず任意の形状が選択される。
【００３０】
これによって、図３に示すように摺動シート（１）を、縦長にして使用した場合、滑動体（５）が粘性流動体であって、その流動性が良いものであっても、図５に示すように多数のヒートシール（２ａ）によって、滑動体（５）の垂れによる上下シート（２）（３）の膨らみが規制され、また粘性流動体の流動が緩慢になる。
この第２実施例のものは、例えば腰部等の大型の摺動シート（１）に適する。平面形状は任意に設定される。
【００３１】
図６は、第３実施例を示す、摺動シート（１）の縦断側面図である。前例と同じ部位には同じ符号を付して説明を省略する。
この第３実施例の摺動シート（１）は、例えば膝関節用など、その位置の形状に合わせて、例えばお椀型、皿型等立体的に形成される。
この立体的な摺動シート（１）の形成は、例えば真空成形などにより、成形される。形状は、当然に舟型でもよい。
【００３２】
前記粘性流動体からなる滑動体（５）の中には、炭素微粉末を３％〜２０％の範囲で混合させることができる。この炭素微粉末の量は、あまり少なくては効果が薄いし、多すぎると粘性流動体の流動性を阻害する。
【００３３】
該炭素微粉末は、摺動シート（１）を身体に添着している時に、外光を吸収して熱を蓄積し、遠赤外線を放出して、その部分を遠赤外線で刺激して、皮膚、筋膜、筋肉に対する血行を活発にする効果がある。
【００３４】
図７は、摺動シート（１）を使用したサポータ（７）の側面図である。このサポータ（７）は、上下布（８ａ）（８ｂ）で偏平に構成された袋体（８）の中に、図１に示した摺動シート（１）が収容されている。該摺動シート（１）は１枚でも複数の重ね合わせでもかまわない。符号（８ｃ）は係止部材である。
【００３５】
この状態で、このサポータ（７）は、例えば腕に巻いて、係止部材（８ｃ）で固定して装着させておくと、外から力が加わった時、上布（８ａ）と中の摺動シート（１）とが摺動し、摺動シート（１）の袋体（４）の中の滑動体（５）が滑動することから、擦れ等の外力を分散緩和させ、吸収する効果がある。
【００３６】
なおこの発明は、前記実施例に限定されるものではなく、目的に合わせて、適宜設計変更をすることができる。形状も任意に設定することができる。
この摺動シートは、幅の広い物とし、例えばシャツ形状に設定して背中、胸部などの患部に使用することができる。
【００３７】
【発明の効果】
以上説明したように、この発明は、次のような優れた効果を有している。
（１）  請求項１に記載された発明の摺動シートは、摺動シートの袋体内に、滑動体が詰装されているので、サポータの下に摺動シートを入れて身体に使用する時において、サポータに外から受けた圧力、或いはサポータ自体の締付力を、摺動シートの滑動体の内部移動と、上下シートの摺動により分散緩和して、皮膚、筋膜へ部分的にかかる圧力を、広く周囲へ分散緩和させ、身体の当該部分における靜水圧への外圧を、周囲へ分散して均等に維持させることができる効果がある。
その結果、軟骨細胞に靜水圧を周囲から均等にかけて、軟骨細胞を活性化させることができ、軟骨の再生に寄与することができる効果がある。
また骨折などにおいても、骨折部に本発明摺動シートをサポータの下に入れて当接することによって、筋膜、筋肉への外圧を分散させ、骨折部の骨に対して周囲から均等な靜水圧を与えることが出来、骨折部の組織細胞の再生に寄与することができる。
【００３８】
（２）  請求項２に記載された発明の摺動シートは、袋体の上下シートに、多数のヒートシールが散在して、上下シートが連結されているので、摺動シートを縦横移動させても、袋体の中の滑動体が下方へ降下して溜まり、脹らむことがない効果がある。
【００３９】
（３）  請求項３に記載された発明の摺動シートは、袋体が略椀状に立体的に形成されているので、関節部など膨らみのある部位に当接させ易い効果がある。
【００４０】
（４）  請求項４に記載された発明の摺動シートは、袋体の中に入れる滑動体として、スポンジ体を使用しているので、摺動シートを縦長にしても滑動体が、下方へ沈降しない効果がある。
【００４１】
（５）  請求項５に記載された発明の摺動シートは、前記滑動体が、粘性流動体であるので、摺動シートを縦にしても粘性流動体が急速に流れず、袋体の上下シートを同じ厚さに維持する効果がある。
【００４２】
（６）  請求項６に記載された摺動シートは、滑動体の粘性流動体に、３ｗ％〜２０ｗ％の範囲で、炭素微粉末が混合されているので、炭素が外の光を吸収し、保温する効果がある。
【００４３】
（７）  請求項７に記載された発明の摺動シートは、袋体の中の滑動体が、粘性流動体とスポンジ体の混成体であるので、摺動シートを縦横に移動しても袋体の上下シートの厚みを同じく維持する効果がある。
【００４４】
（８）  請求項８に記載された発明の摺動シートは、滑動体が、粘性流動体と繊維の混合体であるので、繊維が不織布のように絡みあい、袋体の上下シートを同じ厚さに維持する効果がある。
【００４５】
（９）  請求項９に記載された発明のサポータは、袋体の中に滑動体が詰装された摺動シートが内装されているので、身体に使用する時に被覆材と摺動シートとの摺動と、摺動シート内の滑動体の滑動により、外圧を分散緩和する効果がある。
【図面の簡単な説明】
【図１】本発明、摺動シートの平面図である。
【図２】図１における正面図である。
【図３】本発明、摺動シートの使用状態を示す側面図である。
【図４】本発明、摺動シートの一部拡大縦断側面図である。
【図５】本発明、摺動シートの第２実施例を示す平面図である。
【図６】本発明、摺動シートの第３実施例を示す側面図である。
【図７】本発明、摺動シートを使用したサポータの側面図である。
【符号の説明】
（１）摺動シート
（２）上シート
（２ａ）ヒートシール
（３）下シート
（４）袋体
（５）滑動体
（６）被覆材
（７）サポータ
（８）袋体
（８ａ）上布
（８ｂ）下布
（８ｃ）係止部材
（９）肩
（９ａ）皮膚
（９ｂ）筋膜
【図１】
2004305533.tif 000003
【図２】
2004305533.tif 000004
【図３】
2004305533.tif 000005
【図４】
2004305533.tif 000006
【図５】
2004305533.tif 000007
【図６】
2004305533.tif 000008
【図７】
2004305533.tif 000009